(57)【要約】【課題】蓄積後の映像情報を保全でき得るようにする。【解決手段】映像情報が蓄積される映像蓄積部２２と、映像情報を受け取り、映像蓄積部２２ヘ蓄積する蓄積処理部２１と、映像情報を圧縮する場合の処理ルール情報と圧縮方式情報とが記憶された処理ルール記憶部２５と、前記処理ルール記憶部２５の処理ルール情報に基づき処理ルールに該当するかを監視する監視手段２４と、監視手段２４による監視結果に基づき処理ルール記憶部２５の圧縮方式情報によって該当する映像蓄積部２２に蓄積された映像情報を取り出し圧縮する映像圧縮部２６と、映像蓄積部２２に蓄積されている映像情報を読み出して再生出力する映像再生出力部２７とを具備する。【選択図】図１
2007235225.tif 000002
【特許請求の範囲】
【請求項１】
映像情報が蓄積される蓄積手段と、
映像情報を受け取り、前記蓄積手段へ蓄積する蓄積処理手段と、
映像情報を圧縮する場合の処理ルール情報と圧縮方式情報とが記憶された処理ルール記憶手段と、
前記処理ルール記憶手段の処理ルール情報に基づき処理ルールに該当するかを監視する監視手段と、
前記監視手段による監視結果に基づき前記処理ルール記憶手段の圧縮方式情報によって該当する前記蓄積手段に蓄積された映像情報を取り出し圧縮する映像圧縮手段と、
前記蓄積手段に蓄積されている映像情報を読み出して再生出力する出力手段と
を具備することを特徴とする映像蓄積装置。
【請求項２】
前記処理ルール情報として、前記蓄積手段における蓄積可能残容量が所定以下である場合に古いファイルから圧縮すべきことが設定されており、
前記監視手段は前記蓄積手段における蓄積可能残容量が所定以下となったか否かを検出し、
前記映像圧縮手段は、前記監視手段により蓄積可能残容量が所定以下となったことが検出された場合に、古いファイルから圧縮することを特徴とする請求項１に記載の映像蓄積装置。
【請求項３】
映像情報について変化量を検出する変化量検出手段を具備し、
前記蓄積処理手段は、変化量を受け取った場合に該当映像情報に対応させて変化量情報を蓄積手段に蓄積し、
前記処理ルール情報として、前記蓄積手段における蓄積可能残容量が所定以下である場合に変化量が少ないファイルから圧縮することが設定されており、
前記監視手段は前記蓄積手段における蓄積可能残容量が所定以下となったか否かを検出し、
前記映像圧縮手段は、前記監視手段により蓄積可能残容量が所定以下となったことが検出された場合に、変化量情報を参照して変化量が少ないファイルから圧縮することを特徴とする請求項１に記載の映像蓄積装置。
【請求項４】
イベント発生を受け付けるイベント受付手段を具備し、
前記処理ルール情報として、イベント発生の場合にイベント発生以降に到来する映像情報について経時的に圧縮率を高めることが設定されており、
前記監視手段は前記イベント受付手段によるイベント発生の受け付けを監視し、
前記映像圧縮手段は、前記監視手段によるイベント発生の通知に基づき到来映像情報について経時的に圧縮率を高めて圧縮を行うことを特徴とする請求項１に記載の映像蓄積装置。
【請求項５】
前記処理ルール情報として、イベント発生の場合にイベント発生前後の所定範囲に到来した映像情報について上書き禁止の定めが設定されており、
前記蓄積処理手段は映像情報を前記蓄積手段へ蓄積する場合に、イベント発生前後の所定範囲に到来した映像情報の領域について上書きから除外することを特徴とする請求項４に記載の映像蓄積装置。
【請求項６】
前記出力手段は、所定の圧縮符号化方式以外の符号化方式により圧縮されて蓄積されていた映像情報について前記所定の圧縮符号化方式へ変換して出力することを特徴とする請求項１乃至５のいずれか１項に記載の映像蓄積装置。
【請求項７】
前記蓄積手段は、映像情報の蓄積領域及びミラーリング用の領域を有しており、
前記処理ルール情報として、前記映像情報の蓄積領域における蓄積可能残容量が所定以下である場合にミラーリング用の領域を映像情報の蓄積領域に変更すべきことが設定されており、
前記監視手段は映像情報の蓄積領域における蓄積可能残容量が所定以下となったか否かを検出し、
前記蓄積処理手段は、前記監視手段により蓄積可能残容量が所定以下となったことが検出された場合に、ミラーリング用の領域を映像情報の蓄積領域に変更して記憶を行うことを特徴とする請求項１乃至６のいずれか１項に記載の映像蓄積装置。
【請求項８】
映像情報が蓄積される蓄積手段と、映像情報を圧縮する場合の処理ルール情報と圧縮方式情報とが記憶された処理ルール記憶手段とを備える映像蓄積装置の映像蓄積方法において、
映像情報を受け取り、前記蓄積手段へ蓄積する蓄積処理ステップと、
前記処理ルール記憶手段の処理ルール情報に基づき処理ルールに該当するかを監視する監視ステップと、
前記監視ステップによる監視結果に基づき前記処理ルール記憶手段の圧縮方式情報によって該当する前記蓄積手段に蓄積された映像情報を取り出し圧縮する映像圧縮ステップと、
を具備することを特徴とする映像蓄積方法。
【請求項９】
前記処理ルール情報として、前記蓄積手段における蓄積可能残容量が所定以下である場合に古いファイルから圧縮すべきことが設定されており、
前記監視ステップでは前記蓄積手段における蓄積可能残容量が所定以下となったか否かを検出し、
前記映像圧縮ステップでは、前記監視ステップにより蓄積可能残容量が所定以下となったことが検出された場合に、古いファイルから圧縮することを特徴とする請求項８に記載の映像蓄積方法。
【請求項１０】
映像蓄積装置は、映像情報について変化量を検出する変化量検出手段を具備し、
前記蓄積処理ステップでは、変化量を受け取った場合に該当映像情報に対応させて変化量情報を蓄積手段に蓄積し、
前記処理ルール情報として、前記蓄積手段における蓄積可能残容量が所定以下である場合に変化量が少ないファイルから圧縮することが設定されており、
前記監視ステップでは前記蓄積手段における蓄積可能残容量が所定以下となったか否かを検出し、
前記映像圧縮ステップでは、前記監視ステップにより蓄積可能残容量が所定以下となったことが検出された場合に、変化量情報を参照して変化量が少ないファイルから圧縮することを特徴とする請求項８に記載の映像蓄積方法。
【請求項１１】
映像蓄積装置は、イベント発生を受け付けるイベント受付手段を具備しており、
前記処理ルール情報として、イベント発生の場合にイベント発生以降に到来する映像情報について経時的に圧縮率を高めることが設定されており、
監視ステップでは前記イベント受付手段によるイベント発生の受け付けを監視し、
前記映像圧縮ステップでは、前記監視ステップによるイベント発生の通知に基づき到来映像情報について経時的に圧縮率を高めて圧縮を行うことを特徴とする請求項８に記載の映像蓄積方法。
【請求項１２】
前記処理ルール情報として、イベント発生の場合にイベント発生前後の所定範囲に到来した映像情報について上書き禁止の定めが設定されており、
前記蓄積処理ステップでは映像情報を前記蓄積手段へ蓄積する場合に、イベント発生前後の所定範囲に到来した映像情報の領域について上書きから除外することを特徴とする請求項１１に記載の映像蓄積方法。
【請求項１３】
前記蓄積手段は、映像情報の蓄積領域及びミラーリング用の領域を有しており、
前記処理ルール情報として、前記映像情報の蓄積領域における蓄積可能残容量が所定以下である場合にミラーリング用の領域を映像情報の蓄積領域に変更すべきことが設定されており、
前記監視ステップでは映像情報の蓄積領域における蓄積可能残容量が所定以下となったか否かを検出し、
前記蓄積処理ステップでは、前記監視ステップにより蓄積可能残容量が所定以下となったことが検出された場合に、ミラーリング用の領域を映像情報の蓄積領域に変更して記憶を行うことを特徴とする請求項８乃至１２のいずれか１項に記載の映像蓄積方法。
【発明の詳細な説明】
【技術分野】
【０００１】
この発明は、監視カメラにより得られた映像情報を蓄積する映像蓄積装置及びその装置に用いられる映像蓄積方法に関するものである。
【背景技術】
【０００２】
監視システムに用いられるハードディスクレコーダ、蓄積サーバなどの映像蓄積装置においては、蓄積される映像の要否にかかわらず、通常同一の画質で蓄積される。ところが、映像蓄積装置の蓄積容量には限りがあるため、容量が限界となった場合には古い映像から上書きしてゆくなどの処理を行っている。上書きを行う方式では、蓄積容量を超える時間の映像については残されることがない問題がある。
【０００３】
上記に対し、記録の中断を生じさせないようにするため、到来する映像について符号化方式を変更する情報記録装置が特許文献１に示されている。
【特許文献１】特開２００２−３１４９９７号公報
【発明の開示】
【発明が解決しようとする課題】
【０００４】
しかしながら、既に記録された情報については必ずしも保全されるものではなく、特に蓄積後の映像情報を保全できる装置の出現が望まれている。本発明は、特に蓄積後の映像情報を保全でき得るようになり、また、蓄積した映像情報について適切に再生出力することが可能な映像蓄積装置及び映像蓄積方法を提供することを目的とする。
【課題を解決するための手段】
【０００５】
本発明に係る映像蓄積装置は、映像情報が蓄積される蓄積手段と、映像情報を受け取り、前記蓄積手段へ蓄積する蓄積処理手段と、映像情報を圧縮する場合の処理ルール情報と圧縮方式情報とが記憶された処理ルール記憶手段と、前記処理ルール記憶手段の処理ルール情報に基づき処理ルールに該当するかを監視する監視手段と、前記監視手段による監視結果に基づき前記処理ルール記憶手段の圧縮方式情報によって該当する前記蓄積手段に蓄積された映像情報を取り出し圧縮する映像圧縮手段と、前記蓄積手段に蓄積されている映像情報を読み出して再生出力する出力手段とを具備することを特徴とする。
【０００６】
本発明に係る映像蓄積装置では、前記処理ルール情報として、前記蓄積手段における蓄積可能残容量が所定以下である場合に古いファイルから圧縮すべきことが設定されており、前記監視手段は前記蓄積手段における蓄積可能残容量が所定以下となったか否かを検出し、前記映像圧縮手段は、前記監視手段により蓄積可能残容量が所定以下となったことが検出された場合に、古いファイルから圧縮することを特徴とする。
【０００７】
本発明に係る映像蓄積装置は、映像情報について変化量を検出する変化量検出手段を具備し、前記蓄積処理手段は、変化量を受け取った場合に該当映像情報に対応させて変化量情報を蓄積手段に蓄積し、前記処理ルール情報として、前記蓄積手段における蓄積可能残容量が所定以下である場合に変化量が少ないファイルから圧縮することが設定されており、前記監視手段は前記蓄積手段における蓄積可能残容量が所定以下となったか否かを検出し、前記映像圧縮手段は、前記監視手段により蓄積可能残容量が所定以下となったことが検出された場合に、変化量情報を参照して変化量が少ないファイルから圧縮することを特徴とする。
【０００８】
本発明に係る映像蓄積装置は、イベント発生を受け付けるイベント受付手段を具備し、前記処理ルール情報として、イベント発生の場合にイベント発生以降に到来する映像情報について経時的に圧縮率を高めることが設定されており、前記監視手段は前記イベント受付手段によるイベント発生の受け付けを監視し、前記映像圧縮手段は、前記監視手段によるイベント発生の通知に基づき到来映像情報について経時的に圧縮率を高めて圧縮を行うことを特徴とする。
【０００９】
本発明に係る映像蓄積装置では、前記処理ルール情報として、イベント発生の場合にイベント発生前後の所定範囲に到来した映像情報について上書き禁止の定めが設定されており、前記蓄積処理手段は映像情報を前記蓄積手段へ蓄積する場合に、イベント発生前後の所定範囲に到来した映像情報の領域について上書きから除外することを特徴とする。
【００１０】
本発明に係る映像蓄積装置では、前記出力手段は、所定の圧縮符号化方式以外の符号化方式により圧縮されて蓄積されていた映像情報について前記所定の圧縮符号化方式へ変換して出力することを特徴とする。
【００１１】
本発明に係る映像蓄積装置では、前記蓄積手段は、映像情報の蓄積領域及びミラーリング用の領域を有しており、前記処理ルール情報として、前記映像情報の蓄積領域における蓄積可能残容量が所定以下である場合にミラーリング用の領域を映像情報の蓄積領域に変更すべきことが設定されており、前記監視手段は映像情報の蓄積領域における蓄積可能残容量が所定以下となったか否かを検出し、前記蓄積処理手段は、前記監視手段により蓄積可能残容量が所定以下となったことが検出された場合に、ミラーリング用の領域を映像情報の蓄積領域に変更して記憶を行うことを特徴とする。
【００１２】
本発明に係る映像蓄積方法は、映像情報が蓄積される蓄積手段と、映像情報を圧縮する場合の処理ルール情報と圧縮方式情報とが記憶された処理ルール記憶手段とを備える映像蓄積装置の映像蓄積方法において、映像情報を受け取り、前記蓄積手段へ蓄積する蓄積処理ステップと、前記処理ルール記憶手段の処理ルール情報に基づき処理ルールに該当するかを監視する監視ステップと、前記監視ステップによる監視結果に基づき前記処理ルール記憶手段の圧縮方式情報によって該当する前記蓄積手段に蓄積された映像情報を取り出し圧縮する映像圧縮ステップとを具備することを特徴とする。
【００１３】
本発明に係る映像蓄積方法では、前記処理ルール情報として、前記蓄積手段における蓄積可能残容量が所定以下である場合に古いファイルから圧縮すべきことが設定されており、前記監視ステップでは前記蓄積手段における蓄積可能残容量が所定以下となったか否かを検出し、前記映像圧縮ステップでは、前記監視ステップにより蓄積可能残容量が所定以下となったことが検出された場合に、古いファイルから圧縮することを特徴とする。
【００１４】
本発明に係る映像蓄積方法では、映像蓄積装置は、映像情報について変化量を検出する変化量検出手段を具備し、前記蓄積処理ステップでは、変化量を受け取った場合に該当映像情報に対応させて変化量情報を蓄積手段に蓄積し、前記処理ルール情報として、前記蓄積手段における蓄積可能残容量が所定以下である場合に変化量が少ないファイルから圧縮することが設定されており、前記監視ステップでは前記蓄積手段における蓄積可能残容量が所定以下となったか否かを検出し、前記映像圧縮ステップでは、前記監視ステップにより蓄積可能残容量が所定以下となったことが検出された場合に、変化量情報を参照して変化量が少ないファイルから圧縮することを特徴とする。
【００１５】
本発明に係る映像蓄積方法では、映像蓄積装置は、イベント発生を受け付けるイベント受付手段を具備しており、前記処理ルール情報として、イベント発生の場合にイベント発生以降に到来する映像情報について経時的に圧縮率を高めることが設定されており、監視ステップでは前記イベント受付手段によるイベント発生の受け付けを監視し、前記映像圧縮ステップでは、前記監視ステップによるイベント発生の通知に基づき到来映像情報について経時的に圧縮率を高めて圧縮を行うことを特徴とする。
【００１６】
本発明に係る映像蓄積方法では、前記処理ルール情報として、イベント発生の場合にイベント発生前後の所定範囲に到来した映像情報について上書き禁止の定めが設定されており、前記蓄積処理ステップでは映像情報を前記蓄積手段へ蓄積する場合に、イベント発生前後の所定範囲に到来した映像情報の領域について上書きから除外することを特徴とする。
【００１７】
本発明に係る映像蓄積方法では、前記蓄積手段は、映像情報の蓄積領域及びミラーリング用の領域を有しており、前記処理ルール情報として、前記映像情報の蓄積領域における蓄積可能残容量が所定以下である場合にミラーリング用の領域を映像情報の蓄積領域に変更すべきことが設定されており、前記監視ステップでは映像情報の蓄積領域における蓄積可能残容量が所定以下となったか否かを検出し、前記蓄積処理ステップでは、前記監視ステップにより蓄積可能残容量が所定以下となったことが検出された場合に、ミラーリング用の領域を映像情報の蓄積領域に変更して記憶を行うことを特徴とする。
【発明の効果】
【００１８】
本発明によれば、映像情報を圧縮する場合の処理ルール情報と圧縮方式情報とが記憶された処理ルール記憶手段の処理ルール情報に基づき処理ルールに該当したかを監視して、監視結果に基づき上記処理ルール記憶手段の圧縮方式情報によって該当する映像情報を取り出し圧縮するので、処理ルール情報により必要な場合に所要圧縮方式によって映像情報が圧縮されて蓄積され、蓄積後の映像情報を保全でき得るようになる。また、本発明では、所定の圧縮符号化方式以外の符号化方式により圧縮されて蓄積されていた映像情報について上記所定の圧縮符号化方式へ変換して出力するので、蓄積した映像情報について適切に再生出力することが可能となる。
【発明を実施するための最良の形態】
【００１９】
本発明では、映像情報を圧縮する場合の処理ルール情報と圧縮方式情報とを用い、処理ルールに該当したかを監視し、監視結果に基づき所要の圧縮方式情報によって該当する映像情報を圧縮することにより、蓄積後の映像情報を保全でき得るようにするという目的を達成したものである。
【実施例１】
【００２０】
以下添付図面を参照して、本発明に係る映像蓄積装置及び映像蓄積方法を説明する。各図において同一の構成要素には同一の符号を付して重複する説明を省略する。図１には、第１の実施例に係る映像蓄積装置２０を用いた監視システムが示されている。このシステムにあっては、監視対象を撮像するカメラ１１から送られた映像信号（例えば、ＮＴＳＣ信号）を映像蓄積装置２０において符号化（ここでは、ＭＰＥＧ２とする）して蓄積し、必要に応じてモニタ１２へ再生出力する。上記において、カメラ１１は監視地点に配置され、映像蓄積装置２０及びモニタ１２は監視センタなどに配置される。
【００２１】
映像蓄積装置２０には、映像情報を蓄積する映像蓄積部（蓄積手段）２２、映像蓄積部２２へ映像を蓄積する蓄積処理部（蓄積処理手段）２１、映像蓄積部２２の蓄積映像情報を管理する蓄積映像管理部２３、更に、処理ルール記憶部２５、映像圧縮部２６及び映像再生出力部２７が備えられている。処理ルール記憶部２５は、映像情報を圧縮する場合の処理ルール情報と圧縮方式情報を記憶している。映像圧縮部２６は、蓄積映像管理部２３により送られた映像情報について処理ルール記憶部２５の圧縮方式情報に基づき圧縮を行って蓄積処理部２１へ送り蓄積をさせるものであり、映像圧縮手段を構成している。映像再生出力部２７は、映像蓄積部２２に蓄積されている映像情報を読み出して再生出力する出力手段を構成する。
【００２２】
上記蓄積映像管理部２３には、処理ルール記憶手段である処理ルール記憶部２５の処理ルール情報に基づき処理ルールに該当するかを監視する監視手段２４を備えている。また、映像再生出力部２７には、符号化方式逆変換部２８が備えられており、符号化方式逆変換部２８は所定の圧縮符号化方式（例えば、ＭＰＥＧ２）以外の符号化方式（例えば、ＭＰＥＧ４、ＪＰＥＧ）により圧縮されて蓄積されていた映像情報について上記所定の圧縮符号化方式（例えば、ＭＰＥＧ２）へ変換して出力する構成が採られている。この構成により圧縮前の映像に完璧に戻るものではないが、符号化方式が一定のものとなり、モニタ１２において表示する場合に複数の符号化方式対応の映像表示手段（ソフトウエア）を備える必要がなくなる。なお、図１には示していないが、蓄積処理部２１による符号化後の映像情報は直接にモニタ１２へ送られ、図示しない操作部からコマンドを蓄積映像管理部２３へ送ることで、映像蓄積部２２に蓄積された映像情報中の所望時刻の映像情報をモニタ１２へ出力させることができる。
【００２３】
この第１の実施例では、処理ルール記憶部２５には図２に示されるような情報が記憶されている。つまり、処理ルール情報として、蓄積手段である映像蓄積部２２における蓄積可能残容量が所定（○○Ｋバイト）以下である場合に、古いファイルから圧縮すべきことが設定されており、圧縮方式情報として、第１順の圧縮ではＭＰＥＧ４とすること、第２順の圧縮ではＪＰＥＧとすることが記憶されている。
【００２４】
上記第１の実施例に係る映像蓄積装置２０は図３のフローチャートに示されるように処理を行うので、このフローチャートにより動作説明を行う。蓄積処理部２１ではカメラ１１から到来する映像信号を先に述べた通りＭＰＥＧ２に符号化して映像蓄積部２２へ蓄積してゆく（Ｓ１１）。この場合、例えば１分間の映像情報を１ファイルとして撮像時刻情報を付加して映像蓄積部２２へ蓄積する。
【００２５】
蓄積映像管理部２３の監視手段２４は、処理ルール記憶部２５の処理ルール情報に基づき映像蓄積部２２の残量が所定（○○Ｋバイト）以下となったかを検出して（Ｓ１２、Ｓ１３）、所定以下となった場合に映像圧縮部２６が処理ルール情報及び圧縮方式情報に基づき古いファイルから圧縮を行う（Ｓ１４）、つまり、ファイルに付加されている時刻情報に基づき最も古いファイルからＭＰＥＧ４への圧縮を行って１順目の圧縮終了を示すフラグをセットして蓄積処理部２１へ渡し、蓄積処理部２１が映像蓄積部２２へ蓄積を行う。
【００２６】
ステップＳ１４に次いで全てのファイルについて第１順目の圧縮終了を示すフラグがセットされたかの検出を行い（Ｓ１５）、ＮＯとなればステップＳ１１へ戻って処理を行い、全てのファイルについて第１順目の圧縮終了が検出されると、映像圧縮部２６における圧縮方式をＭＰＥＧ４からＪＰＥＧへ変更し（Ｓ１６）、ステップＳ１１へ戻って処理を行う。このステップＳ１１における蓄積処理部２１ではカメラ１１から到来する映像信号を先に述べた通りＭＰＥＧ２に符号化するものである。斯して、本実施例によれば、時間的に古い映像情報の圧縮率が高められるが、少なくとも２順の圧縮が行われる間には上書きによる消去がなされることなく、蓄積寿命を長くでき、必要があれば再生出力してモニタ１２にて目視することができる。
【実施例２】
【００２７】
図４に第２の実施例に係る映像蓄積装置２０Ａの構成図を示す。この実施例では、映像情報について変化量を検出する変化量検出手段である画像処理装置２９が蓄積処理部２１に接続されている。画像処理装置２９は、図６のフローチャートに示すように画素を輝度情報とした画像について背景差分やフレーム間差分を行い、輝度変化を変化量として算出し（Ｓ２１）蓄積処理部２１へ送る。蓄積処理部２１は、例えば１分間の映像情報を１ファイルとして撮像時刻情報及び上記変化量情報（１分間分）を付加して映像蓄積部２２へ蓄積する（Ｓ２２）。
【００２８】
この第２の実施例では、処理ルール記憶部２５には図５に示されるような情報が記憶されている。つまり、処理ルール情報として、蓄積手段である映像蓄積部２２における蓄積可能残容量が所定（○○Ｋバイト）以下である場合に、映像変化量の少ないファイルから圧縮すべきことが設定されており、圧縮方式情報として、第１順の圧縮ではＭＰＥＧ４とすること、第２順の圧縮ではＪＰＥＧとすることが記憶されている。
【００２９】
上記第２の実施例に係る映像蓄積装置２０は図７のフローチャートに示されるように処理を行うので、このフローチャートにより動作説明を行う。蓄積処理部２１ではカメラ１１から到来する映像信号を先に述べた通りＭＰＥＧ２に符号化して映像蓄積部２２へ蓄積してゆく（Ｓ２３）。このステップＳ２３では、図６のフローチャートに示したように、例えば１分間の映像情報を１ファイルとして撮像時刻情報及び上記変化量情報（１分間分）を付加して映像蓄積部２２へ蓄積するステップＳ２２が含まれている。
【００３０】
蓄積映像管理部２３の監視手段２４は、処理ルール記憶部２５の処理ルール情報に基づき映像蓄積部２２の残量が所定（○○Ｋバイト）以下となったかを検出して（Ｓ１２、Ｓ１３）、所定以下となった場合に映像圧縮部２６が処理ルール及び圧縮方式情報に基づき映像変化量が少ないファイルから圧縮を行う（Ｓ２４）、つまり、ファイルに付加されている変化量情報に基づき最も変化量の少ないファイルからＭＰＥＧ４への圧縮を行って１順目の圧縮終了を示すフラグをセットして蓄積処理部２１へ渡して、蓄積処理部２１が映像蓄積部２２へ蓄積を行う。
【００３１】
ステップＳ２４に次いで全てのファイルについて第１順目の圧縮終了を示すフラグがセットされたかの検出を行い（Ｓ１５）、ＮＯとなればステップＳ２３へ戻って処理を行い、全てのファイルについて第１順目の圧縮終了が検出されると、映像圧縮部２６における圧縮方式をＭＰＥＧ４からＪＰＥＧへ変更し（Ｓ１６）、ステップＳ２３へ戻って処理を行う。このステップＳ２３における蓄積処理部２１の処理ではカメラ１１から到来する映像信号を先に述べた通りＭＰＥＧ２に符号化するものである。斯して、本実施例によれば、変化量の少ない映像情報（つまり、映像に変化が見られないもの）の圧縮率が高められるが、少なくとも２順の圧縮が行われる間には上書きによる消去がなされることなく、蓄積寿命を長くでき、必要があれば再生出力してモニタ１２にて目視することができる。
【実施例３】
【００３２】
図８に第３の実施例に係る映像蓄積装置２０Ｂの構成図を示す。この実施例では第１の実施例に対し、映像蓄積装置２０Ｂにイベント受付手段を構成するイベント受信部３１が備えられており、イベント送信部１３からイベント発生の通知が送られるように構成されている。処理ルール記憶部２５内の処理ルール情報としては、図９に示すように、イベントを受け付けた場合にイベント受付以降に到来する映像情報について圧縮を行うことが設定されており、圧縮方式情報として、第１順の圧縮でＭＰＥＧ４とすること、及びＭＰＥＧ４では複数種類のビットレートが許容されているので、経時的に圧縮率を高めることが設定されているものとする。イベント送信部１３は、システムに応じたイベント発生を検出して通知の送信を行うものであり、例えば、侵入監視システムでは赤外線センサ等による侵入の検出、道路監視システムでは電磁波センサ等による渋滞発生の検出などが考えられるが、ここでは、蓄積処理部２１によって符号化された映像情報をモニタ１２へ送る回線の断（或いは不通）を検出するものとする。そして、カメラ１１と映像蓄積装置２０Ｂは監視現場（監視位置）に設置され、映像蓄積装置２０Ｂからモニタ１２までの距離が長く、映像蓄積装置２０Ｂからモニタ１２間の回線が断（或いは不通）となった場合に、映像蓄積部２２へ映像情報を蓄積して回線の復旧後に映像再生出力部２７から送られた映像情報に基づく映像をモニタ１２へ写して見るという利用が図られる。
【００３３】
上記第３の実施例に係る映像蓄積装置２０Ｂは図１０のフローチャートに示されるように処理を行うので、このフローチャートにより動作説明を行う。蓄積処理部２１ではカメラ１１から到来する映像信号を先に述べた通りＭＰＥＧ２に符号化して映像蓄積部２２へ古いファイルに対する上書きも含んで蓄積してゆく（Ｓ３１）。この場合、例えば１分間の映像情報を１ファイルとして撮像時刻情報を付加して映像蓄積部２２へ蓄積する。
【００３４】
監視手段２４は、イベント受信部３１へのイベント受付があったかを監視しており（Ｓ３２）、イベント受付がなければステップＳ３１へ戻って処理が続けられる。上記ステップＳ３２においてイベント受付を検出すると、カメラ１１から到来する映像信号を蓄積処理部２１において先に述べた通りＭＰＥＧ２に符号化して映像蓄積部２２へ蓄積すると共に、この蓄積したイベント受付以降のファイルを映像圧縮部２６が処理ルール及び圧縮方式情報に基づき圧縮して蓄積処理部２１へ送り映像蓄積部２２へ蓄積する（Ｓ３３）。
【００３５】
ステップＳ３３に次いで、圧縮蓄積が所定時間なされたかを検出し（Ｓ３４）、所定時間の経過があると圧縮率を上昇させて（Ｓ３５）、ステップＳ３３における処理を行う。この結果、映像蓄積部２２へ蓄積されるファイルの容量は、図１１に示される通り、イベント受付まではＭＰＥＧ２による符号化方式により６Ｍｂｐｓ程度の容量である。イベント受付以降においてはＭＰＥＧ４による符号化圧縮が行われ、しかも経時的に圧縮率が高められるので、１ファイルのファイル容量は図１１に示す通りに経時的に漸次減少する。これにより、イベント受付前においてはビットレートの高い映像情報が蓄積され、イベント受付前に生じた事象を適切に監視可能となり、イベント受付以降においては時間が経過するほどビットレートが低下するが、ファイル容量が小さくなり、映像蓄積部２２における蓄積可能な残容量の低下を遅らせることができる。
【実施例４】
【００３６】
第４の実施例に係る映像蓄積装置２０Ｂの構成図は図８の通りであり、第３の実施例と同じ構成を備えている。処理ルール記憶部２５内の処理ルール情報としては、図９に示すように、第３の実施例と同一の内容に加えて、上書きの制限という条件が加わっている。つまり、イベントの発生前後１０分（所定時間）の範囲においては映像蓄積部２２に蓄積された映像情報に対する上書きを禁止するという内容である。
【００３７】
この第４の実施例に係る映像蓄積装置２０Ｂは図１３のフローチャートに示されるように処理を行うので、このフローチャートにより動作説明を行う。ステップＳ３１とステップＳ３２に示す処理は、既に第３の実施例において説明した通りである。そして、ステップＳ３２においてイベント受付が検出された場合には、蓄積映像管理部２３は上書き禁止範囲を求めて蓄積処理部２１へ通知する（Ｓ４１）。このステップＳ４１に続いて、カメラ１１から到来する映像信号を蓄積処理部２１において先に述べた通りＭＰＥＧ２に符号化して映像蓄積部２２へ蓄積すると共に、この蓄積したイベント受付以降のファイルを映像圧縮部２６が処理ルール及び圧縮方式情報に基づき圧縮して蓄積処理部２１へ送り、蓄積処理部２１による上書き範囲を除いた映像蓄積部２２の領域へ蓄積が行われる（Ｓ４２）。
【００３８】
ステップＳ４２に次いで、圧縮蓄積が所定時間なされたかを検出し（Ｓ３４）、所定時間の経過があると圧縮率を上昇させて（Ｓ３５）、ステップＳ４１において、イベント受付前後１０分の映像情報についての蓄積処理であるかを検出することにより、上書き禁止範囲を検出して蓄積処理部２１へ通知する処理が行われる。この結果、上書き禁止範囲の映像情報については上書きされることなく残される。なお、この実施例では上書き禁止範囲以外を用いて上書きを続けるようにしたが、上書きを続けて映像蓄積部２２のアドレスを一周して再び上書き禁止範囲の先頭映像情報(もしくは、アドレス)に達した場合には、映像蓄積部２２に対する映像情報の蓄積を停止するようにしても良い。
【実施例５】
【００３９】
第５の実施例にあっては、図１４に示すように映像蓄積部２２が、映像情報の蓄積領域Ｒ１及びミラーリング用の領域である蓄積領域Ｒ２を有しており、処理ルール記憶部２５内の処理ルール情報としては、図１５に示すようにステップ１のルール情報として、蓄積領域Ｒ１の残容量が○○Ｋバイト以下となるとミラーリング用の領域である蓄積領域Ｒ２を通常の映像情報を蓄積する領域へ変更することが設定されており、ステップＳ２のルール情報として第１の実施例において図２を用いて説明したルール情報が設定されている。映像蓄積装置２０の構成は図１に示す第１の実施例における構成とする。
【００４０】
この第５の実施例に係る映像蓄積装置２０は図１６のフローチャートに示されるように処理を行うので、このフローチャートにより動作説明を行う。蓄積処理部２１ではカメラ１１から到来する映像信号を先に述べた通りＭＰＥＧ２に符号化して映像蓄積部２２の蓄積領域Ｒ１へ蓄積してゆくと共に図１４（ａ）に示す通りに蓄積領域Ｒ２へのミラーリングを行う（Ｓ５１）。この場合、例えば１分間の映像情報を１ファイルとして撮像時刻情報を付加して映像蓄積部２２へ蓄積する。
【００４１】
蓄積映像管理部２３の監視手段２４は、処理ルール記憶部２５の処理ルール情報（ステップ１）に基づき映像蓄積部２２における蓄積領域Ｒ１の残量が所定（○○Ｋバイト）以下となったかを検出して（Ｓ５２、Ｓ５３）、所定以下となった場合には図１４（ｂ）に示すようにミラーリングを解除し、ミラーリング用の蓄積領域Ｒ２を開放して映像蓄積へ移行し（Ｓ５４）、次のルールによる処理へと進む。次のルールによる処理は、ここでは、第１の実施例のものであるから蓄積領域Ｒ１と蓄積領域Ｒ２の全体を映像情報の蓄積領域として図３のフローチャートによる動作が行われる。
【００４２】
この第５の実施例では、第１の実施例と図１６のフローチャートに対応する処理を組み合わせたが、第２〜第４の実施例のいずれかと図１６のフローチャートに対応する処理を組み合わせた構成とすることができる。いずれの場合においても、ミラーリング用の蓄積領域Ｒ２を開放して映像蓄積を行うので、長時間の画像情報蓄積が可能となる。また、全ての実施例においてカメラ１１がアナログ映像信号を送出するものとしたが、カメラ１１よりＭＰＥＧ２などの符号化された映像信号を送出するものとしてもよく、この場合には映像処理部２１には符号化処理機能を備えていなくとも良い。
【図面の簡単な説明】
【００４３】
【図１】本発明に係る映像蓄積装置における第１の実施例に係る映像蓄積装置を用いた監視システムの構成図。
【図２】本発明に係る映像蓄積装置における第１の実施例に係る映像蓄積装置に採用された処理ルール情報及び圧縮方式情報の一例を示す図。
【図３】本発明に係る映像蓄積装置における第１の実施例に係る映像蓄積装置の動作を説明するためのフローチャート。
【図４】本発明に係る映像蓄積装置における第２の実施例に係る映像蓄積装置を用いた監視システムの構成図。
【図５】本発明に係る映像蓄積装置における第２の実施例に係る映像蓄積装置に採用された処理ルール情報及び圧縮方式情報の一例を示す図。
【図６】本発明に係る映像蓄積装置における第１の実施例に係る映像蓄積装置の動作を説明するためのフローチャート。
【図７】本発明に係る映像蓄積装置における第１の実施例に係る映像蓄積装置の動作を説明するためのフローチャート。
【図８】本発明に係る映像蓄積装置における第３の実施例に係る映像蓄積装置を用いた監視システムの構成図。
【図９】本発明に係る映像蓄積装置における第３の実施例に係る映像蓄積装置に採用された処理ルール情報及び圧縮方式情報の一例を示す図。
【図１０】本発明に係る映像蓄積装置における第３の実施例に係る映像蓄積装置の動作を説明するためのフローチャート。
【図１１】本発明に係る映像蓄積装置における第３の実施例に係る映像蓄積装置により行われる圧縮によるファイル容量の経時変化を示す図。
【図１２】本発明に係る映像蓄積装置における第４の実施例に係る映像蓄積装置に採用された処理ルール情報及び圧縮方式情報の一例を示す図。
【図１３】本発明に係る映像蓄積装置における第４の実施例に係る映像蓄積装置の動作を説明するためのフローチャート。
【図１４】本発明に係る映像蓄積装置における第５の実施例に係る映像蓄積装置に採用された処理ルールによるミラーリング処理の変更を説明するための図。
【図１５】本発明に係る映像蓄積装置における第５の実施例に係る映像蓄積装置に採用された処理ルール情報及び圧縮方式情報の一例を示す図。
【図１６】本発明に係る映像蓄積装置における第５の実施例に係る映像蓄積装置の動作を説明するためのフローチャート。
【符号の説明】
【００４４】
１１  カメラ
１２  モニタ
１３  イベント送信部
２０、２０Ａ、２０Ｂ  映像蓄積装置
２１  蓄積処理部
２２  映像蓄積部
２３  蓄積映像管理部
２４  監視手段
２５  処理ルール記憶部
２６  映像圧縮部
２７  映像再生出力部
２８  符号化方式逆変換部
２９  画像処理部
３１  イベント受信部
【図１】
2007235225.tif 000003
【図２】
2007235225.tif 000004
【図３】
2007235225.tif 000005
【図４】
2007235225.tif 000006
【図５】
2007235225.tif 000007
【図６】
2007235225.tif 000008
【図７】
2007235225.tif 000009
【図８】
2007235225.tif 000010
【図９】
2007235225.tif 000011
【図１０】
2007235225.tif 000012
【図１１】
2007235225.tif 000013
【図１２】
2007235225.tif 000014
【図１３】
2007235225.tif 000015
【図１４】
2007235225.tif 000016
【図１５】
2007235225.tif 000017
【図１６】
2007235225.tif 000018